(57)【要約】【課題】  本発明の課題は、監視に必要な映像を、効率よく、漏れなく、撮像するための監視カメラシステムを提供することである。【解決手段】  暗証情報の入力を受け付けて、これを含む利用者識別情報送信要求を発行して、利用者識別情報を受信して、利用者識別情報を含む撮影開始指示を発行する監視設備と、監視設備とＩＣカードと無線制御型カメラとの間でやり取りされる各種の要求情報や指示情報を、一方から他方に転送するＩＣカード読取器と、利用者識別情報送信要求を受信して、これに含まれる暗証情報を認証情報と照合して利用者認証して、利用者識別情報を送信するＩＣカードと、撮影開始指示を受け付けて、映像データを作成して記録する無線制御型カメラと、から構成される監視カメラシステムである。【選択図】  図１
2008017464.tif 000002
【特許請求の範囲】
【請求項１】
ＩＣカード読取器が有線接続された監視設備と、ＩＣカードと、無線制御型カメラと、から構成される監視カメラシステムにおいて、
前記監視設備は、
暗証情報の入力を受け付けて、これを含む利用者識別情報送信要求を発行する利用者識別情報送信要求手段と、
ＩＣカード読取器から、利用者識別情報を受信して、利用者識別情報を含む撮影開始指示を発行する撮影開始指示手段と、
ＩＣカードが除かれたことを検知して、ＩＣカード読取器に、撮影終了指示を発行する撮影終了指示手段と、
を備える設備であって、
前記ＩＣカード読取器は、
監視設備から、利用者識別情報送信要求を受け付けて、ＩＣカードに転送する利用者識別情報送信要求転送手段と、
ＩＣカードから、利用者識別情報を受信して、監視設備に転送する利用者識別情報転送手段と、
監視設備から、撮影開始指示を受け付けて、無線制御型カメラに転送する撮影開始指示転送手段と、
監視設備から、撮影終了指示を受け付けて、無線制御型カメラに転送する撮影終了指示転送手段と、
を備える読取器であって、
前記ＩＣカードは、
認証情報と、利用者識別情報と、を記憶する記憶手段と、
ＩＣカード読取器から、利用者識別情報送信要求を受信して、これに含まれる暗証情報を、前記認証情報と照合して、利用者認証する利用者認証手段と、
前記利用者識別情報をＩＣカード読取器に、送信する利用者識別情報返信手段と、
を備えるＩＣカードであって、
前記無線制御型カメラは、
ＩＣカード読取器から、撮影開始指示を、受け付ける撮影開始指示受付手段と、
映像を撮像して、画像メモリーに記録する撮像手段と、
前記画像メモリーの映像を読み出して、映像データを作成する映像データ作成手段と、
前記作成された映像データを、記録する映像データ記録手段と、
ＩＣカード読取器から、撮影終了指示を受け付けて、撮影を終了する撮影終了指示受付手段と、
を備えるカメラである、ことを特徴とする監視カメラシステム。
【請求項２】
ＩＣカード読取器が有線接続された監視設備と、ＩＣカードと、無線制御型カメラと、から構成される監視カメラシステムにおいて、
前記監視設備は、
暗証情報の入力を受け付けて、これを含む利用者識別情報送信要求を発行する利用者識別情報送信要求手段と、
ＩＣカード読取器から、利用者識別情報を受信して、利用者識別情報を含む撮影開始指示を発行する撮影開始指示手段と、
を備える設備であって、
前記ＩＣカード読取器は、
監視設備から、利用者識別情報送信要求を受け付けて、ＩＣカードに転送する利用者識別情報送信要求転送手段と、
ＩＣカードから、利用者識別情報を受信して、監視設備に転送する利用者識別情報転送手段と、
監視設備から、撮影開始指示を受け付けて、無線制御型カメラに転送する撮影開始指示転送手段と、
前記監視設備との接続が断たれたことを検知して、無線制御型カメラに撮影終了指示を送信する撮影終了指示手段と、
を備える読取器であって、
前記ＩＣカードは、
認証情報と、利用者識別情報と、を記憶する記憶手段と、
ＩＣカード読取器から、利用者識別情報送信要求を受信して、これに含まれる暗証情報を、前記認証情報と照合して、利用者認証する利用者認証手段と、
前記利用者識別情報をＩＣカード読取器に、送信する利用者識別情報返信手段と、
を備えるＩＣカードであって、
前記無線制御型カメラは、
ＩＣカード読取器から、撮影開始指示を、受け付ける撮影開始指示受付手段と、
映像を撮像して、画像メモリーに記録する撮像手段と、
前記画像メモリーの映像を読み出して、映像データを作成する映像データ作成手段と、
前記作成された映像データを、記録する映像データ記録手段と、
ＩＣカード読取器から、撮影終了指示を受け付けて、撮影を終了する撮影終了指示受付手段と、
を備えるカメラである、ことを特徴とする監視カメラシステム。
【請求項３】
認証情報を用いる監視方法において、
暗証情報を入力する暗証情報入力ステップと、
前記暗証情報を、認証情報と照合して、認証する認証ステップと、
利用者識別情報を受信する利用者識別情報受信ステップと、
前記受信した利用者識別情報を含む撮影開始指示を発行する撮影開始指示ステップと、
撮影開始指示を受け付けて、映像を撮像して、映像データを作成して、記録する映像データ記録ステップと、
撮影終了指示を受け付けて、撮影を終了する撮影終了ステップと、
を含んだ手順でなされることを特徴とする監視方法。
【請求項４】
コンピュータに組込むことによって、コンピュータを請求項１または請求項２に記載の監視カメラシステムとして動作させるコンピュータプログラム。
【請求項５】
請求項４に記載のコンピュータプログラムを記録したコンピュータ読取り可能な記録媒体。
【発明の詳細な説明】
【技術分野】
【０００１】
本発明は、監視カメラを用いて監視するシステム、および、その方法に関するものである。
【背景技術】
【０００２】
従来から、監視カメラの映像を用いて、監視が行われている。
【０００３】
たとえば、特許文献１では、１台の監視カメラを用いて銀行などのＡＴＭを監視するときに、中央制御装置が、複数台のＡＴＭの中から、特に注意を払うＡＴＭを判別して、これを選択して、監視カメラに指示して、撮影させる技術が開示されている。（従来技術１）
【特許文献１】特開２００４−１０４５７２号公報
【発明の開示】
【発明が解決しようとする課題】
【０００４】
ところで、従来技術１では、ＡＴＭが複数台同時に利用されている場合に、監視カメラで、ＡＴＭを１台ずつ、順次に監視するために、監視が十分に行なえないという問題点があった。さらに、１台の監視カメラで監視しているので、監視の視野を遮られると、監視映像を撮影できないという欠点があった。また、監視カメラは、中央制御装置とネットワーク接続しなければならないという不具合があった。
【０００５】
本発明はこのような従来技術を考慮してなされたものであって、本発明の課題は、監視に必要な映像を、効率よく、漏れなく、撮像するための監視カメラシステムに関するものである。
【課題を解決するための手段】
【０００６】
本発明は、以下のような解決手段により、前記課題を解決する。すなわち、請求項１の発明は、ＩＣカード読取器が有線接続された監視設備と、ＩＣカードと、無線制御型カメラと、から構成される監視カメラシステムにおいて、前記監視設備は、暗証情報の入力を受け付けて、これを含む利用者識別情報送信要求を発行する利用者識別情報送信要求手段と、ＩＣカード読取器から、利用者識別情報を受信して、利用者識別情報を含む撮影開始指示を発行する撮影開始指示手段と、ＩＣカードが除かれたことを検知して、ＩＣカード読取器に、撮影終了指示を発行する撮影終了指示手段と、を備える設備であって、前記ＩＣカード読取器は、監視設備から、利用者識別情報送信要求を受け付けて、ＩＣカードに転送する利用者識別情報送信要求転送手段と、ＩＣカードから、利用者識別情報を受信して、監視設備に転送する利用者識別情報転送手段と、監視設備から、撮影開始指示を受け付けて、無線制御型カメラに転送する撮影開始指示転送手段と、監視設備から、撮影終了指示を受け付けて、無線制御型カメラに転送する撮影終了指示転送手段と、を備える読取器であって、前記ＩＣカードは、認証情報と、利用者識別情報と、を記憶する記憶手段と、ＩＣカード読取器から、利用者識別情報送信要求を受信して、これに含まれる暗証情報を、前記認証情報と照合して、利用者認証する認証手段と、前記利用者識別情報をＩＣカード読取器に、送信する利用者識別情報返信手段と、を備えるＩＣカードであって、前記無線制御型カメラは、ＩＣカード読取器から、撮影開始指示を、受け付ける撮影開始指示受付手段と、映像を撮像して、画像メモリーに記録する撮像手段と、前記画像メモリーの映像を読み出して、映像データを作成する映像データ作成手段と、前記作成された映像データを、記録する映像データ記録手段と、ＩＣカード読取器から、撮影終了指示を受け付けて、撮影を終了する撮影終了指示受付手段と、を備えるカメラである、ことを特徴とする監視カメラシステムである。
【０００７】
請求項２の発明は、ＩＣカード読取器が有線接続された監視設備と、ＩＣカードと、無線制御型カメラと、から構成される監視カメラシステムにおいて、前記監視設備は、暗証情報の入力を受け付けて、これを含む利用者識別情報送信要求を発行する利用者識別情報送信要求手段と、ＩＣカード読取器から、利用者識別情報を受信して、利用者識別情報を含む撮影開始指示を発行する撮影開始指示手段と、を備える設備であって、前記ＩＣカード読取器は、監視設備から、利用者識別情報送信要求を受け付けて、ＩＣカードに転送する利用者識別情報送信要求転送手段と、ＩＣカードから、利用者識別情報を受信して、監視設備に転送する利用者識別情報転送手段と、監視設備から、撮影開始指示を受け付けて、無線制御型カメラに転送する撮影開始指示転送手段と、前記監視設備との接続が断たれたことを検知して、無線制御型カメラに撮影終了指示を送信する撮影終了指示手段と、を備える読取器であって、前記ＩＣカードは、認証情報と、利用者識別情報と、を記憶する記憶手段と、ＩＣカード読取器から、利用者識別情報送信要求を受信して、これに含まれる暗証情報を、前記認証情報と照合して、利用者認証する利用者認証手段と、前記利用者識別情報をＩＣカード読取器に、送信する利用者識別情報返信手段と、を備えるＩＣカードであって、前記無線制御型カメラは、ＩＣカード読取器から、撮影開始指示を、受け付ける撮影開始指示受付手段と、映像を撮像して、画像メモリーに記録する撮像手段と、前記画像メモリーの映像を読み出して、映像データを作成する映像データ作成手段と、前記作成された映像データを、記録する映像データ記録手段と、ＩＣカード読取器から、撮影終了指示を受け付けて、撮影を終了する撮影終了指示受付手段と、を備えるカメラである、ことを特徴とする監視カメラシステムである。
【０００８】
ここで、ＩＣカードとは、たとえば、ＵＩＭ（User Identity Module）カードのことをいう。クレジットカードサイズのカードから、ICチップの部分だけを切り離して使うことが可能なＩＣカード。）である。また、端末装置は、ＵＩＭと接触接続させる接続端子と、監視設備（＝外部情報処理装置）と有線接続（たとえば、ＵＳＢ）させる接続端子と、外部情報処理装置（＝無線制御型カメラ）と無線接続（たとえば、bluetooth、ZigBee）させるアンテナを備える。
【０００９】
請求項１、請求項２の発明では、監視設備は、監視に必要な映像データだけを受信して、記録する。また、無線制御型カメラを複数台用いることで、必要な映像を、漏れなく、効率よく、低コストで、撮影することが可能である。請求項１の発明と請求項２の発明は、ＩＣカードが除かれた場合に撮影を終了するか、ＩＣカード読取器と監視設備の接続が断たれた場合に撮影を終了するかの点で異なっている。
【００１０】
請求項３の発明は、認証情報を用いる監視方法において、暗証情報を入力する暗証情報入力ステップと、前記暗証情報を、認証情報と照合して、認証する認証ステップと、利用者識別情報を受信する利用者識別情報受信ステップと、前記受信した利用者識別情報を含む撮影開始指示を発行する撮影開始指示ステップと、撮影開始指示を受け付けて、映像を撮像して、映像データを作成して、記録する映像データ記録ステップと、撮影終了指示を受け付けて、撮影を終了する撮影終了ステップと、を含んだ手順でなされることを特徴とする監視方法である。
【００１１】
請求項４の発明は、コンピュータに組込むことによって、コンピュータを請求項１または請求項２に記載の監視カメラシステムとして動作させるコンピュータプログラムである。
【００１２】
請求項５の発明は、請求項４に記載のコンピュータプログラムを記録したコンピュータ読取り可能な記録媒体である。
【発明の効果】
【００１３】
本願発明によれば、監視に必要な映像を、洩れなく、低コストで、撮影することが可能である。
【発明を実施するための最良の形態】
【００１４】
（実施例）
以下、図面等を参照しながら、本発明の実施の形態について、更に詳しく説明する。図１は、監視カメラシステムの概要を説明する図である。
【００１５】
監視カメラシステム１は、ＩＣカード読取器３００が有線接続された監視設備７００（たとえば、ネットワーク管理端末装置。）と、ＩＣカード１００と、無線制御型カメラ５００から構成される。
【００１６】
ＩＣカード１００は、利用者識別情報１９１を記憶するＩＣカードである。監視設備７００は、利用者に利用されているときに監視される設備であり、コンピュータに所定のプログラムを組み込んだネットワーク管理端末装置により実現される。利用者は、ＩＣカード読取器３００を監視設備７００に取り付けて、監視設備７００にパスワード（暗証情報）を入力して利用者の認証が正常に行われると、監視設備７００の利用が可能となる。利用者の認証が正常に行われると、無線制御型カメラ５００は、ＩＣカード読取器３００から受け付けた撮影開始指示に従って監視設備７００の撮影を行い、撮影により得られた映像を含む映像データ５９９を記憶する。
【００１７】
図２は、監視カメラシステム１の処理の流れを説明するための図である。
【００１８】
監視設備７００は、暗証情報（たとえば、暗証番号）を受け付けて、これを含む利用者識別情報送信要求をＩＣカード読取器３００に発行する（図２（１））。
【００１９】
ＩＣカード読取器３００は、監視設備７００から、利用者識別情報送信要求を受け付けて、ＩＣカード１００に転送する（同（２））。
【００２０】
ＩＣカード１００は、ＩＣカード読取器３００から、利用者識別情報送信要求を受け付けて、これに含まれる暗証情報を用いて、認証情報１９３と照合して利用者認証をして、利用者識別情報１９１を返信する（同（３））。
【００２１】
ＩＣカード読取器３００は、ＩＣカード１００から利用者識別情報１９１を受信して、監視設備７００に転送する（４））。
【００２２】
監視設備７００は、ＩＣカード読取器３００から、利用者識別情報１９１を受信して、これを含む撮影開始指示を作成して、ＩＣカード読取器３００に発行する（同（５））。
【００２３】
ＩＣカード読取器３００は、監視設備７００から、撮影開始指示を受信して、無線制御型カメラ５００に転送する（同（１１））。
【００２４】
無線制御型カメラ５００は、ＩＣカード読取器３００から、撮影開始指示を、受け付けて、撮影を開始する（同（１２））。無線制御型カメラ５００は、利用者識別情報１９１を含む映像データ５９９を作成して、記憶手段５９０に記録する（同（１３））。無線制御型カメラ５００は、ＩＣカード読取器３００から撮影終了指示があるまで、撮影および映像データの記録作業を続けることになる。
【００２５】
ＩＣカード１００がＩＣカード読取器３００から取り去られると、監視設備７００は、ＩＣカード１００がＩＣカード読取器３００から、取り去られたことを検知して、撮影終了指示をＩＣカード読取器３００に発行する（同（２１））。
【００２６】
ＩＣカード読取器３００は、ＩＣカード１００から、撮影終了指示を受信して、無線制御型カメラ５００に転送する（同（２２））。
【００２７】
無線制御型カメラ５００は、ＩＣカード読取器３００から撮影終了指示を受け付けて、撮影を中止する（同（２３））。
【００２８】
各無線制御型カメラ５００が撮影した映像データ５９９は、記憶手段５９０に記憶され、別の端末装置で閲覧が可能な状態となる。
【００２９】
なお、無線制御型カメラ５００は、ＩＣカード読取器３００が撮影を要求したときに撮影を開始して映像データを作成し、ＩＣカードを取り去ったときに、撮影および映像データの作成を終了するので、記録する撮影データが、流し撮りのように膨大になることがなく、効率よく、記録することが可能となる。
【００３０】
さらに、人相を撮影する無線制御型カメラや、机上の様子を撮影する無線制御型カメラや、設備を操作する様子を撮影する無線制御型カメラや、操作端末装置の画面を撮影する無線制御型カメラや、部屋全体の様子を撮影する無線制御型カメラなど、複数台のカメラを設置して、ＩＣカード読取器３００からの撮影開始指示を受け付けて撮影を行えば、監視に必要な映像データを、洩れなく得ることができるので、精度の高い監視が可能となる。
【００３１】
たとえば、操作者が、ものを書き写す様子や、携帯電話などの持込カメラで撮影する様子や、CDにデータをダウンロードする様子を捉えることができる。また、操作者が、無線制御型カメラを止めたり、無線制御型カメラの視界を遮ったりすれば、不正が行なわれた可能性が高いと判断できる。また、詳細な撮影データを得るために、必要に応じて、クローズアップ撮影してもよい。なお、本システムでは、監視設備７００から撮影開始指示を行っているが、このとき、監視設備７００を特定する識別情報もＩＣカード読取器３００を経由して無線制御型カメラ５００に送信して、映像データ５９９と共に記録すれば、監視設備７００の識別情報と、利用者識別情報１９１、時間情報から、映像データ５９９を撮影した監視設備７００、利用者、時間を知ることができる。また、ＩＣカード１００にて利用者認証が正常に行われた後、監視設備７００を経由せずに、ＩＣカード読取器３００から利用者識別情報１９１と、撮影開始指示を無線制御型カメラ５００に送信して撮影を開始しても良い。
【００３２】
図３は、監視カメラシステム１の詳細な構成図である。監視カメラシステム１は、監視設備７００と、無線制御型カメラ５００がネットワーク接続されたＩＣカード読取器３００から構成される。
【００３３】
監視設備７００は、利用者識別情報送信要求手段７１０と、撮影開始指示手段７４０と、撮影終了指示手段７６０を備える。
【００３４】
利用者識別情報送信要求手段７１０は、暗証情報を受け付けて、利用者識別情報送信要求を、ＩＣカード読取器３００に発行する。
【００３５】
撮影開始指示手段７４０は、ＩＣカード読取器３００から、利用者識別情報１９１を受信して、利用者識別情報１９１を含む撮影開始指示を発行する。
【００３６】
撮影終了指示手段７６０は、ＩＣカード１００が除かれたら、無線制御型カメラ５００に、撮影終了指示を発行する。
【００３７】
ＩＣカード読取器３００は、利用者識別情報送信要求転送手段３１０と、利用者識別情報転送手段３２０と、撮影開始指示転送手段３４０と、撮影終了指示転送手段３５０を備える。
【００３８】
利用者識別情報送信要求転送手段３１０は、監視設備７００から、利用者識別情報送信要求を受け付けて、ＩＣカード１００に転送する。利用者識別情報転送手段３２０は、ＩＣカード１００から利用者識別情報を受信して、監視設備７００に転送する。
【００３９】
撮影開始指示転送手段３４０は、監視設備７００から、撮影開始指示を受信して、無線制御型カメラ５００に転送する。撮影終了指示転送手段３５０は、監視設備７００から、撮影終了指示を受信して、無線制御型カメラ５００に転送する。
【００４０】
ＩＣカード１００は、利用者認証手段１１０と、利用者識別情報返信手段１２０と、記憶手段１９０を備える。記憶手段１９０は、利用者識別情報１９１と、認証情報１９３を記憶する。
【００４１】
認証情報１９３は、暗証情報を含む情報である。
【００４２】
利用者認証手段１１０は、ＩＣカード読取器３００から、利用者識別情報送信要求を受信して、これに含まれる暗証情報を、認証情報１９３の暗証情報と照合して、一致すれば利用者認証する。
【００４３】
利用者識別情報返信手段１２０は、ＩＣカード読取器３００から、利用者識別情報送信要求を受け付けて、利用者識別情報１９１を返信する。
【００４４】
無線制御型カメラ５００は、撮影開始指示受付手段５１０と、撮像手段５２０と、映像データ作成手段５３０と、映像データ記録手段５４０と、撮影終了指示受付手段５５０と、記憶手段５９０を備える。記憶手段５９０は、映像データ５９９を記憶する。
【００４５】
撮影開始指示受付手段５１０は、ＩＣカード読取器３００から、利用者識別情報１９１を含む撮影開始指示を受け付ける。
【００４６】
撮像手段５２０は、映像を撮像して、画像メモリーに記録する。映像データ作成手段５３０は、画像メモリーの映像を読み出して、撮影開始指示が含む利用者識別情報１９１を用いて、利用者識別情報１９１を含む映像データ５９９を作成する。無線制御型カメラ５００に内部時計が備えられていれば、撮影した映像データ５９９の時刻、利用者識別情報１９１を対応付けて記憶手段５９０に記憶することができるので、利用者毎、利用時間毎に監視設備７００の映像データ５９９を閲覧することが可能になる。
【００４７】
映像データ記録手段５４０は、前記作成された映像データ５９９を記録する。
【００４８】
撮影終了指示受付手段５５０は、ＩＣカード読取器３００から、撮影終了指示を受け付けて、撮影を終了する。
【００４９】
利用者認証手段１１０と、利用者識別情報返信手段１２０と、利用者識別情報送信要求転送手段３１０と、利用者識別情報転送手段３２０と、撮影開始指示転送手段３４０と、撮影終了指示転送手段３５０と、撮影開始指示受付手段５１０と、映像データ作成手段５３０と、映像データ記録手段５４０と、撮影終了指示受付手段５５０と、利用者識別情報送信要求手段７１０と、撮影開始指示手段７４０と、撮影終了指示手段７６０は、コンピュータプログラムにより実現される。利用者識別情報１９１と、認証情報１９３と、映像データ５９９は、コンピュータプログラムが可読なデータである。記憶手段１９０と、記憶手段５９０は、メモリーである。撮像手段５２０は、ＣＣＤである。
【００５０】
図４は、ＩＣカード読取器３００の回路機能図である。ＩＣカード読取器３００は、少なくとも、ＵＳＢコネクタ３０２と、至近距離用の非接触アンテナ３０１ａと、中距離用の無線アンテナ３０１ｂと、ＢｌｕｅｔｏｏｔｈもしくはＺｉｇＢｅｅ回路３０６と、ＵＩＭ端子板３０７と、ＣＰＵ３０３と、操作ボタン３０５と、ＬＣＤ３０４を備える。
【００５１】
ＵＳＢコネクタ３０２は、ＵＳＢケーブルの挿入口で、ＵＳＢケーブルを挿入して、外部情報処理装置（たとえば、パソコン）と接続する。
【００５２】
至近距離用の非接触アンテナ３０１ａは、ISO14443規格のアンテナコイルで、通信距離が数ｃｍの電波（＝周波数帯が１３．５６ＭＨｚ）に用いるアンテナある。中距離用の無線アンテナ３０１ｂは、Ｂｌｕｅｔｏｏｔｈ、もしくは、ＺｉｇＢｅｅ用のアンテナコイルで、通信距離が１０ｍから数１０ｍの電波（＝周波数帯が２．４ＧＨｚ）に用いるアンテナある。無線制御型カメラ５００との通信には、中距離用の無線アンテナ３０１ｂを用いる。
【００５３】
ＢｌｕｅｔｏｏｔｈもしくはＺｉｇＢｅｅ回路３０６は、Ｂｌｕｅｔｏｏｔｈ、もしくは、ＺｉｇＢｅｅの電波を発振させる。
【００５４】
ＩＣカード接触端子板３０７は、ＩＣカード１００が有する接触端子板と接触する。
【００５５】
ＣＰＵ３０３は、図３のＩＣカード読取器３００の各手段を実現するプログラムを実行する。
【００５６】
操作ボタン３０５は、電源のＯＮ／ＯＦＦや、操作ボタンに設定された操作機能を実行する。ＬＣＤ３０４は、文字や図形などを表示する。
【００５７】
図５は、ＩＣカード読取器３００の外観写真である。ＩＣカード読取器３００は、ＩＣカードから切り離したＩＣチップ（＝ＵＩＭ）を挿入して格納している。図５では、前面に、ＬＣＤ（液晶表示部）３０４を有するＩＣカード読取器３００が例示されている。
【００５８】
なお、無線制御型カメラ５００が記録する映像データ５９９の利用者識別情報１９１を用いて、利用者を特定することができる。また、映像データ５９９に、撮影時刻を含めてもよい。
【００５９】
上記の例では、図２の（２１）〜（２３）を用いて説明したように、ＩＣカード１００がＩＣカード読取器３００から取り去られた場合に、無線制御型カメラ５００が撮影を中止するような構成としたが、ＩＣカード読取器３００と監視設備７００の接続が断たれた場合に、無線制御型カメラ５００が撮影を中止するような構成としても良い。
【００６０】
この場合、監視設備７００とＩＣカード読取器３００を接続しているＵＳＢケーブルが外されると、ＩＣカード読取器３００において、ＵＳＢコネクタ３０２からの信号により、ＣＰＵ３０３が、監視設備７００との接続が断たれたことを認識する。そして、ＣＰＵ３０３は、ＢｌｕｅｔｏｏｔｈもしくはＺｉｇＢｅｅ回路３０６、無線アンテナ３０１ｂを介して、無線制御型カメラ５００に撮影終了指示を送信する。無線制御型カメラ５００は、ＩＣカード読取器３００から撮影終了指示を受け付けて、撮影を中止する。この際、ＩＣカード読取器３００においては、ＣＰＵ３０３が撮影終了指示手段として機能することになる。
【００６１】
以上詳しく説明したように、本願発明によれば、監視に必要な映像を、洩れなく、低コストで、撮影することが可能となった。
【図面の簡単な説明】
【００６２】
【図１】監視カメラシステム１の概要を説明する図である。
【図２】監視カメラシステム１の処理の流れを説明する図である。
【図３】監視カメラシステム１の詳細な構成図である。
【図４】ＩＣカード読取器３００の回路機能図である。
【図５】ＩＣカード読取器３００の外観写真である。
【符号の説明】
【００６３】
１  監視カメラシステム
１００  ＩＣカード
１１０  利用者認証手段
１２０  利用者識別情報返信手段
１９０  記憶手段
１９１  利用者識別情報
１９３  認証情報
３００  ＩＣカード読取器
３０１ａ  至近距離用の非接触アンテナ
３０１ｂ  中距離用の無線アンテナ
３０２  ＵＳＢコネクタ
３０３  ＣＰＵ
３０４  ＬＣＤ
３０５  操作ボタン
３０６  ＢｌｕｅｔｏｏｔｈもしくはＺｉｇＢｅｅ回路
３０７  ＵＩＭ端子板
３１０  利用者識別情報送信要求転送手段
３２０  利用者識別情報転送手段
３４０  撮影開始指示転送手段
３５０  撮影終了指示転送手段
５００  無線制御型カメラ
５１０  撮影開始指示受付手段
５２０  撮像手段
５３０  映像データ作成手段
５４０  映像データ記録手段
５５０  撮影終了指示受付手段
５９０  記憶手段
５９９  映像データ
７００  監視設備
７１０  利用者識別情報送信要求手段
７４０  撮影開始指示手段
７６０  撮影終了指示手段
【図１】
2008017464.tif 000003
【図２】
2008017464.tif 000004
【図３】
2008017464.tif 000005
【図４】
2008017464.tif 000006
【図５】
2008017464.tif 000007